(57)【要約】【課題】  テープ媒体とディスク媒体との間でも、ダビングを一旦停止させることなく２以上のコンテンツに分割することのできる複合型データ記録装置を提供すること。【解決手段】  １以上のコンテンツを記録可能なテープ媒体（ビデオテープ２０ｂ）およびディスク媒体（ＨＤ５ｂ，ＤＶＤ１６ｂ）とを備える。そして、テープ媒体およびディスク媒体のいずれか一方の媒体に格納された１つのコンテンツを他方の媒体に転送（ダビング）する場合、所定の指示、たとえばダビングキーの操作に基づいて（ステップＳ２４）、他方の媒体において１つのコンテンツを２以上のコンテンツに分割するための処理（別タイトル作成／ＶＩＳＳ書き込み）を行なう（ステップＳ２６）。【選択図】        図４
2006302408.tif 000002
【特許請求の範囲】
【請求項１】
１以上のコンテンツを記録可能なテープ媒体およびディスク媒体と、
前記テープ媒体および前記ディスク媒体のいずれか一方の媒体に格納された１つのコンテンツを他方の媒体に転送するための転送手段と、
ユーザに対して、手動分割あるいは自動分割のいずれにするかを選択させるための選択手段と、
前記転送手段による転送処理の間、前記他方の媒体において前記１つのコンテンツを２以上のコンテンツに分割するための処理を行なう分割手段とを備え、
前記分割手段は、
前記手動分割が選択された場合、ユーザから所定の指示が入力される度に、分割処理を行なうための第１の分割手段と、
前記自動分割が選択された場合に、予め設定された分割時間および分割回数に基づいて、分割処理を行なうための第２の分割手段とを含み、
前記第１および第２の分割手段は、前記他方の媒体が前記テープ媒体である場合、前記所定の指示に基づいて、前記テープ媒体に前記所定の識別信号を書き込み、前記他方の媒体が前記ディスク媒体である場合、前記所定の指示に基づいて、前記転送手段による転送処理が開始されたときに作成される管理情報とは別の管理情報を作成する、複合型データ記録装置。
【請求項２】
１以上のコンテンツを記録可能なテープ媒体およびディスク媒体と、
前記テープ媒体および前記ディスク媒体のいずれか一方の媒体に格納された１つのコンテンツを他方の媒体に転送するための転送手段と、
前記転送手段による転送処理の間、所定の指示に基づいて、前記他方の媒体において前記１つのコンテンツを２以上のコンテンツに分割するための処理を行なう分割手段とを備える、複合型データ記録装置。
【請求項３】
前記テープ媒体において１つのコンテンツとは、途中に所定の識別信号が付されていないコンテンツであり、
前記他方の媒体が前記テープ媒体である場合、前記分割手段は、前記所定の指示に基づいて、前記テープ媒体に前記所定の識別信号を書き込む、請求項２に記載の複合型データ記録装置。
【請求項４】
前記ディスク媒体において１つのコンテンツとは、前記ディスク媒体において１つの管理情報によって管理されるコンテンツであり、
前記他方の媒体が前記ディスク媒体である場合、前記分割手段は、前記所定の指示に基づいて、前記転送手段による転送処理が開始されたときに作成される管理情報とは別の管理情報を作成する、請求項２に記載の複合型データ記録装置。
【請求項５】
前記分割手段は、ユーザから所定の指示が入力される度に、分割処理を行なう、請求項２に記載の複合型データ記録装置。
【請求項６】
前記分割手段は、予め設定された分割時間に基づいて、分割処理を行なう、請求項２に記載の複合型データ記録装置。
【請求項７】
前記分割手段は、予め設定された分割回数に基づいて、分割処理を行なう、請求項２に記載の複合型データ記録装置。
【請求項８】
ユーザに対して、手動分割あるいは自動分割のいずれにするかを選択させるための選択手段をさらに備え、
前記分割手段は、
前記手動分割が選択された場合、ユーザから所定の指示が入力される度に、分割処理を行なうための第１の分割手段と、
前記自動分割が選択された場合には、予め設定された分割情報に基づいて、分割処理を行なうための第２の分割手段とを含む、請求項２に記載の複合型データ記録装置。
【発明の詳細な説明】
【技術分野】
【０００１】
本発明は、複合型データ記録装置に関し、特に、テープ媒体とディスク媒体とを備え、一方の媒体から他方の媒体へデータの転送（ダビング）が可能な複合型データ記録装置に関する。
【背景技術】
【０００２】
従来より、テープ媒体やディスク媒体において、たとえば１つの放送番組に基づくデータは、一まとまりで管理したいというユーザの要求がある。
【０００３】
そこで、たとえば、特許文献１には、ビデオテープから読み出した記録データを光ディスクにダビングする際に、ビデオテープの走行をコントロールするためのコントロール信号のデューティを検出し、検出結果に従って番組の変更を判別して、変更があると判別すると、タイトルデータを生成して、タイトルデータを光ディスクに書き込むことが開示されている。
【０００４】
また、特許文献２には、番組放送信号に基づいて、録画中に新たな番組の開始を検出すると、開始が検出された番組とその番組のタイトルとを対応付けて記録することが開示されている。
【特許文献１】特開２００４−１８５７２８号公報
【特許文献２】特開２００３−２３００８０号公報
【発明の開示】
【発明が解決しようとする課題】
【０００５】
しかしながら、上記文献には、アナログデータが記録されるビデオテープなどのテープ媒体とＤＶＤ（Digital Versatile Disc）やＨＤ（ハードディスク）などのデジタルデータが記録されるディスク媒体との間で一連のデータ（コンテンツ）のダビングを行なう場合に、そのコンテンツを、ダビング先の媒体において２以上のコンテンツに分割することについて開示されていない。
【０００６】
本発明は、上記のような課題を解決するためになされたものであって、その目的は、テープ媒体とディスク媒体との間でも、ダビングを一旦停止させることなく２以上のコンテンツに分割することのできる複合型データ記録装置を提供することである。
【課題を解決するための手段】
【０００７】
この発明のある局面に従う複合型データ記録装置は、１以上のコンテンツを記録可能なテープ媒体およびディスク媒体と、テープ媒体およびディスク媒体のいずれか一方の媒体に格納された１つのコンテンツを他方の媒体に転送するための転送手段と、ユーザに対して、手動分割あるいは自動分割のいずれにするかを選択させるための選択手段と、転送手段による転送処理の間、他方の媒体において１つのコンテンツを２以上のコンテンツに分割するための処理を行なう分割手段とを備える。分割手段は、手動分割が選択された場合、ユーザから所定の指示が入力される度に、分割処理を行なうための第１の分割手段と、自動分割が選択された場合に、予め設定された分割時間および分割回数に基づいて、分割処理を行なうための第２の分割手段とを含む。第１および第２の分割手段は、他方の媒体がテープ媒体である場合、所定の指示に基づいて、テープ媒体に所定の識別信号を書き込み、他方の媒体がディスク媒体である場合、所定の指示に基づいて、転送手段による転送処理が開始されたときに作成される管理情報とは別の管理情報を作成する。
【０００８】
この発明の他の局面に従う複合型データ記録装置は、１以上のコンテンツを記録可能なテープ媒体およびディスク媒体と、テープ媒体およびディスク媒体のいずれか一方の媒体に格納された１つのコンテンツを他方の媒体に転送するための転送手段と、転送手段による転送処理の間、所定の指示に基づいて、他方の媒体において１つのコンテンツを２以上のコンテンツに分割するための処理を行なう分割手段とを備える。
【０００９】
好ましくは、テープ媒体において１つのコンテンツとは、途中に所定の識別信号が付されていないコンテンツであり、他方の媒体がテープ媒体である場合、分割手段は、所定の指示に基づいて、テープ媒体に所定の識別信号を書き込む。
【００１０】
好ましくは、ディスク媒体において１つのコンテンツとは、ディスク媒体において１つの管理情報によって管理されるコンテンツであり、他方の媒体がディスク媒体である場合、分割手段は、所定の指示に基づいて、転送手段による転送処理が開始されたときに作成される管理情報とは別の管理情報を作成する。
【００１１】
好ましくは、分割手段は、ユーザから所定の指示が入力される度に、分割処理を行なう。
【００１２】
好ましくは、分割手段は、予め設定された分割時間に基づいて、分割処理を行なう。
【００１３】
好ましくは、分割手段は、予め設定された分割回数に基づいて、分割処理を行なう。
【００１４】
好ましくは、ユーザに対して、手動分割あるいは自動分割のいずれにするかを選択させるための選択手段をさらに備え、分割手段は、手動分割が選択された場合、ユーザから所定の指示が入力される度に、分割処理を行なうための第１の分割手段と、自動分割が選択された場合には、予め設定された分割情報に基づいて、分割処理を行なうための第２の分割手段とを含む。
【発明の効果】
【００１５】
本発明によると、テープ媒体とディスク媒体との間のデータ転送（ダビング）中に、一旦転送を停止させることなくコンテンツを所望の位置で分割することができる。
【発明を実施するための最良の形態】
【００１６】
本発明の実施の形態について図面を参照しながら詳細に説明する。なお、図中同一または相当部分には同一符号を付してその説明は繰返さない。
【００１７】
［実施の形態１］
図１には、この発明の実施の形態１に係る複合型データ記録装置の構成が示される。図１を参照して複合型データ記録装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が絶たれても記録内容を保持できるＨＤ５ｂを駆動制御するＨＤＤ（Hard disk drive）５ａ、着脱可能な記録媒体であるＤＶＤ１６ｂを駆動制御するＤＶＤドライブ１６ａ、着脱可能な記録媒体であるビデオテープ２０ｂへのデータの書き込みおよび読み出しを行なうビデオテープ装置２０ａ、ＨＤＤ５ａによるＨＤ５ｂへのデジタルデータの書込および読出とＤＶＤドライブ１６ａによるＤＶＤ１６ｂへのデジタルデータの書込および読出とビデオテープ装置２０ａによるビデオテープ２０ｂへのアナログデータの書込および読出とを制御する書込／読出制御部６、ＨＤＤ５ａによりＨＤ５ｂから読出されたデジタルデータまたはＤＶＤドライブ１６ａによりＤＶＤ１６ｂから読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号あるいはビデオテープ装置２０ａによりビデオテープ２０ｂから読み出されたアナログ信号を入力して映像、音声などにして出力するためのＴＶ受像機などの出力部９を備える。
【００１８】
さらに、図１の複合型データ記録装置は、チューナ２のチューニング動作、エンコーダ４のエンコード動作、デコーダ７のデコード動作および書込／読出制御部６の動作を制御するためのＣＰＵ（Central Processing Unit）１０、ＣＰＵ１０がこれらを制御するための情報（プログラム、データなど）を含む各種の情報を記憶するためのＲＡＭ（Random Access Memory）やＲＯＭ（Read Only Memory）などからなる記憶部１１および１２、外部に設けられたリモコン（リモートコントローラの略）１４からの赤外線信号による指令・指示を受信し、データに変換して、ＣＰＵ１０に与える入力部１３、ＯＳＤ（On Screen Display）回路１５、計時動作するタイマ１７、およびＥＰＧ（Electric Program Guide）抽出部１８を備える。なお、ＥＰＧ抽出部１８を備えない構成であってもよい。
【００１９】
ここでは、ＤＶＤ１６ｂは、ＤＶＤ−Ｒ、ＤＶＤ−ＲＡＭ（ＤＶＤ−ＲＷ（Digital Versatile Disc ReWritable）ともいう）などであってよい。
【００２０】
ＯＳＤ回路１５はＣＰＵ１０から与えられるデジタル情報に基づく描画データを作成してアナログ変換部８に出力する。アナログ変換部８は描画データを入力すると、該描画データのみをアナログ変換して出力部９に出力する。または、描画データとＨＤ５ｂまたはＤＶＤ１６ｂから読出されてデコーダ７を介して与えられるデータとをアナログ変換して、出力部９に出力する。したがって、出力部９には与えられるデータに基づく画像が表示されることになる。
【００２１】
入力部１３はリモコン１４からの指令を入力しない場合には、外部からの指令・指示を入力するためのユーザにより操作される各種スイッチ、ボタンなどから構成されてもよい。
【００２２】
リモコン１４は、ダビングを実行するためのダビングキー１４１、後述するインデックスサーチキー１４２、カーソルキー１４３、メニューキー１４４を備える。カーソルキー１４３は出力部９に表示されるカーソルなどのポインタを上下左右のそれぞれの方向に移動させるための複数種類のキーを含む。なお、本実施の形態において、ダビングキー１４１は、手動によるタイトル分割の機能も有する。
【００２３】
ＥＰＧ抽出部１８はアンテナ１、チューナ２およびデジタル変換部３を経由して入力したデジタル情報から、放送信号とともに送信されている番組データのＥＰＧ情報を抽出して、抽出したＥＰＧ情報をＣＰＵ１０に与える。
【００２４】
なお、ＨＤＤ５ａによるＨＤ５ｂへの情報の書込（記録）／読出（再生）、ＤＶＤドライブ１６ａによるＤＶＤ１６ｂへの情報の書込（記録）／読出（再生）、およびビデオテープ装置２０ａによるビデオテープ２０ｂへの情報の書込（記録）／読出（再生）は、ＣＰＵ１０の制御の下に書込／読出制御部６を介して行なわれる。書込／読出制御部６は、、これらのいずれの媒体に情報の書込（記録）／読出（再生）を行なうかを選択して動作指令を与える。
【００２５】
ビデオテープ装置２０ａは、書込／読出制御部６による制御の下、ビデオテープ２０ｂに後述するＶＩＳＳ信号の書き込みも行なう。
【００２６】
以下の説明において、ダビングの対象とされるデータを映像データであるものとするが、映像データに限られず、音声データであってもよいし、両方を含んでいてもよい。本実施の形態において、「ダビング」とは、ある記録媒体に記録されている記録済データを別の記録媒体に転送して再記録することをいうものとする。
【００２７】
通常、ＨＤ５ｂやＤＶＤ１６ｂに代表されるディスク媒体とビデオテープ２０ｂに代表されるテープ媒体との間でダビングを行なう場合、一旦ダビングを開始するとダビングが終了されるまで一連の映像データ、すなわち１つのコンテンツとして記録される。
【００２８】
ここで「１つのコンテンツ」とは、デジタルデータが記録されるディスク媒体の場合は、タイトルやプログラムとも呼ばれるデータ群のことであり、１つの管理データで管理される映像データである。また、アナログデータが記録されるテープ媒体の場合は、録画開始時を除いて途中にＶＩＳＳ（VHS Index Search System）が書きこまれていない映像データのことをいう。このＶＩＳＳは、通常、録画（ダビングを含む）開始時に書き込まれ、録画開始を識別可能な信号である。
【００２９】
ここで、ＶＩＳＳについて簡単に説明する。通常、ビデオテープ２０ｂに録画する場合、再生時にテープの走行をコントロールするために、ＣＴＬ（control track signal）信号と呼ばれるパルス信号が記録される。そして、各コンテンツの頭出しが可能となるように、録画開始時にＣＴＬ信号のパルスのデューティを変更することが一般的に行なわれている。このように、録画開始位置を他の部分と区別できるように書き込まれた特別なデューティのＣＴＬ信号を、ＶＩＳＳあるいはＶＩＳＳ信号という。なお、本実施の形態においては、再生時または再生停止時に、リモコン１４０のインデックスサーチキー１４２を操作することで、ＶＩＳＳが書き込まれた位置の映像データの頭出しを行なうことができる。
【００３０】
上記したように、デジタルデータが記録されるディスク媒体とアナログデータが記録されるテープ媒体との間のダビングにおいては、ダビング先においてコンテンツ（以下「タイトル」という）を分割したい場合、途中で一旦ダビングを停止して再開するという手間が必要となる。
【００３１】
このような煩わしさを解消するために、本発明の実施の形態におけるディスク媒体とテープ媒体との複合型データ記録装置は、ユーザ所望の位置でタイトルの分割を行なう。なお、以下の説明においては、ＨＤ５ｂとビデオテープ２０ｂとの間でダビングが実行されるものとして説明するが、ＤＶＤ１６ｂとビデオテープ２０ｂとの間で行なわれるものであってもよい。また、本実施の形態では、両方向に対してダビングが可能であるとするが、いずれか一方にのみダビングが可能なものであってもよい。
【００３２】
本発明の実施の形態１において、ＨＤ５ｂとビデオテープ２０ｂとの間のダビングの際に実行される処理（ダビング処理）について、図２、図４および図５のフローチャートを用いて説明する。なお、これらのフローチャートに示す処理は、たとえば記憶部１１に予め格納されたプログラムを、ＣＰＵ１０が読み出して実行することにより実現される。
【００３３】
図２を参照して、始めに、ＣＰＵ１０は、ダビング設定画面を表示する（ステップＳ２）。ダビング設定画面の表示例を、図３に示す。
【００３４】
図３を参照して、表示領域３１には、ダビング中のタイトル分割処理を行なうために、ユーザにより入力されるべき情報、たとえば“タイトル分割時間”および“タイトル分割数” （以下、これらを「タイトル分割情報」ともいう）が示される。「タイトル分割時間」とは、タイトル分割を自動で行なう単位時間（分）を表わす情報であり、「タイトル分割数」とは、タイトル分割を自動で行なう回数を表わす情報である。
【００３５】
たとえば、タイトル分割時間が６０分で、タイトル分割数が３個であるとすると、６０分ごとに３回、自動でタイトル分割が行なわれる。また、タイトル分割数が０個である場合は、自動でのタイトル分割処理は行なわれず、ユーザによって手動でタイトルの分割が行なわれるものとする。
【００３６】
また、表示領域３２には、表示領域３１のタイトル分割情報を入力するために、ユーザが操作すべきリモコン１４０のキーの案内が表示される。たとえば、各タイトル分割情報の数値を選択するためには、リモコン１４０のカーソルキー１４３の上下キーを操作すべきことが示されている。また、上下キーを操作して入力した数値を決定するためにはカーソルキー１４３の右キーを操作すべきことが示されている。また、ダビング設定を終了するためには、メニューキー１４４を操作すべきことが示されている。
【００３７】
再び図２を参照して、ＣＰＵ１０は、ユーザからのタイトル分割情報の入力を受付ける（ステップＳ４）。そして、ＣＰＵ１０は、ユーザから終了の指示が入力されたか否かを判断する（ステップＳ６）。ユーザから、終了の指示が入力されたと判断されるまで（ステップＳ６においてＮＯ）、ステップＳ２およびＳ４の処理を繰返す。
【００３８】
ステップＳ６において、ユーザから終了の指示が入力されたと判断すると（ステップＳ６においてＹＥＳ）、ステップＳ８に進む。
【００３９】
ステップＳ８において、ＣＰＵ１０は、ユーザから入力されたタイトル分割数が０個であるか否かを判断する。タイトル分割数が、０個であると判断した場合（ステップＳ８においてＹＥＳ）、後述の手動分割処理を実行する（ステップＳ１０）。また、タイトル分割数が０個でないと判断した場合（ステップＳ８においてＮＯ）、後述の自動分割処理を実行する（ステップＳ１２）。
【００４０】
なお、このように、本実施の形態においては、タイトル分割数が０個か否かを判断することで、自動分割か手動分割かの判定が行なわれることとしたが、たとえば、はじめに自動分割するか手動分割するかをユーザにメニュー選択させてもよい。そして、自動分割が選択された場合にのみ、図３に示すような画面を表示してもよい。
【００４１】
ここでまず、上記ステップＳ１０の手動分割処理について、図４のフローチャートを用いて説明する。
【００４２】
始めに、ＣＰＵ１０は、予めユーザにより指定されていたタイトルのダビングを開始する（ステップＳ２２）。続いて、ＣＰＵ１０は、ユーザからダビングキー１４１が入力されたか否かを判断する（ステップＳ２４）。ユーザから、ダビングキー１４１が入力されたと判断した場合（ステップＳ２４においてＹＥＳ）、ステップＳ２６に進む。一方、ダビングキーが入力されたと判断されなかった場合には（ステップＳ２４においてＮＯ）、ステップＳ２８に進む。
【００４３】
ステップＳ２６において、ＣＰＵ１０は、タイトルの分割処理を行なう。たとえば、ＨＤ５ｂからビデオテープ２０ｂへのダビングが実行されている場合には、ＣＰＵ１０は、ビデオテープ装置２０ａにＶＩＳＳの書き込みを行なわせる。また、ビデオテープ２０ｂからたとえばＨＤ５ｂにダビングが実行されている場合には、ＣＰＵ１０は、ＨＤ５ｂに別タイトルを作成する。ステップＳ２６の処理が終了すると、ステップＳ２８に進む。
【００４４】
ステップＳ２８において、ＣＰＵ１０は、ダビングが終了したか否かを判断する。ダビングが終了したと判断されなかった場合（ステップＳ２８においてＮＯ）、ステップＳ２４に戻る。一方、ダビングが終了したと判断した場合、一連のダビング処理を終了する。
【００４５】
このように、タイトルの分割処理を手動で行なう場合、ユーザは何分後などの時間を考慮することなく、分割したい位置でタイトルの分割を行なうことができる。また、ダビング動作を一旦停止させて再開するという面倒な操作をする必要がなくなり、従来のような手間を削減することができる。また、これにより、ダビング時間の短縮にもつながる。
【００４６】
次に、図２のステップＳ１２に示される自動分割処理について、図５のフローチャートを用いて説明する。
【００４７】
図５を参照して、始めに、ＣＰＵ１０は、予めユーザにより指定されていたタイトルのダビングを開始する（ステップＳ３２）。続いて、ＣＰＵ１０は、タイマ１７からの信号に基づき、タイトル分割時間カウントを開始する（ステップＳ３４）。
【００４８】
次に、ＣＰＵ１０は、タイトル分割残数があり、かつ、カウントされる時間がユーザにより設定されたタイトル分割時間を経過したか否かを判断する（ステップＳ３６）。「タイトル分割残数」とは、あと何回タイトル分割処理を行なうかを示す情報である。したがって、本実施の形態では、はじめはタイトル分割数が１以上であるため、タイトル分割残数は必ずあることになる。
【００４９】
ステップＳ３６において、タイトル分割残数があり、かつ、タイトル分割時間を経過したと判断した場合（ステップＳ３６においてＹＥＳ）、ステップＳ３８に進む。一方、タイトル分割残数がないか、あるいは、タイトル分割残数があってもタイトル分割時間を経過していないと判断された場合（ステップＳ３６においてＮＯ）、ステップＳ４６に進む。
【００５０】
ステップＳ３８において、ＣＰＵ１０は、タイトル分割処理を実行する。たとえば、ＨＤ５ｂからビデオテープ２０ｂにダビングが実行されていた場合には、ＣＰＵ１０は、ビデオテープ装置２０ａにＶＩＳＳの書き込みを行なわせる。また、ビデオテープ２０ｂからＨＤ５ｂへのダビングが実行されていた場合には、ＣＰＵ１０は、ＨＤ５ｂに別タイトルを作成する。
【００５１】
そして、ＣＰＵ１０は、タイトル分割数を“１”減算する（ステップＳ４０）。続いて、ＣＰＵ１０は、減算した後のタイトル分割残数が“０”になったか否かを判断する（ステップＳ４２）。タイトル分割残数が０個でないと判断した場合（ステップＳ４２においてＮＯ）、上記ステップＳ３６に戻る。一方、タイトル分割数が０個になったと判断した場合（ステップＳ４２においてＹＥＳ）、ＣＰＵ１０は、タイトル分割時間のカウントを停止する（ステップＳ４４）。ステップＳ４４の処理が終了すると、ステップＳ４６に進む。このように、タイトル分割残数が０個になるまで、上記ステップＳ３６〜Ｓ４０の処理が繰返される。
【００５２】
ステップＳ４６において、ＣＰＵ１０は、指定されたタイトルのダビングが終了したか否かを判断する。ダビングが終了していないと判断された場合（ステップＳ４６においてＮＯ）、上記ステップＳ３６に戻る。一方、ダビングが終了したと判断された場合（ステップＳ４６においてＹＥＳ）、一連のダビング処理を終了する。
【００５３】
このように、タイトルの分割処理を自動で行なう場合、ユーザは、ダビング中に何ら操作をすることなく、希望の位置でタイトルの分割を行なうことができる。したがって、ユーザは、ダビングの設定だけしておけば、その場にもよい。また、手動の場合と同様に、ダビング動作を一旦停止させて再開するという面倒な操作をする必要がなくなり、従来のような手間を削減することができる。また、これにより、ダビング時間の短縮にもつながる。
【００５４】
なお、本実施の形態においては、タイマ１７からの信号に基づきタイトル分割時間をカウントすることとしたが、別途カウンタを設けてタイトル分割時間を計測してもよい。また、ステップＳ４０の処理（タイトル分割数減算処理）が終わると、タイトル分割時間のカウントをリセットして計時するものであってもよい。
【００５５】
ここで、たとえば、上記ステップＳ４において６０分ごとに３回タイトル分割を行なうよう設定された場合、もしくは、ユーザが手動で６０分ごとに３回ダビングキー１４１を操作した場合の、ダビング処理終了後のタイトルを、図６に概念的に示す。
【００５６】
図６（ａ）は、ＨＤ５ｂからビデオテープ２０ｂにダビングが行なわれた場合の例であり、図６（ｂ）は、ビデオテープ２０ｂからＨＤ５ｂにダビングが行なわれた場合の例である。
【００５７】
図６（ａ）を参照して、ＨＤ５ｂに記録されていた２４０分のタイトルがビデオテープ２０ｂにダビングされると、６０分ごとに３回、ＶＩＳＳが書き込まれている。すなわち、ダビング先のビデオテープ２０ｂにおいて、４つのタイトルに分割されている。これにより、ユーザは、インデックスサーチキー１４２を操作することで、タイトルの頭出しを行なうことができる。
【００５８】
また、図６（ｂ）を参照して、ビデオテープ２０ｂに記録されていた２４０分のタイトルがＨＤ５ｂにダビングされると、６０分ごとに３回、別タイトルが作成される。すなわち、ダビング先のＨＤ５ｂにおいて、４つの管理データが作成され、４つのタイトルが作成される。この場合、管理データそれぞれのタイトル名は、たとえば、ダビングが実行された日時であってもよいし、１，２，３，４といった番号であってもよい。そして、各管理データの録画時間長は、６０分とされる。このように、４つのタイトルが作成されることで、ユーザは、独立したタイトルとして扱うことができる。なお、管理データには、タイトル名および録画時間長の他、アドレスの情報が含まれる。また、タイトル名には、ダビング元の媒体名（たとえばＶＣＲなど）やスピードなどが含まれてもよい。
【００５９】
なお、本実施の形態では、タイトル分割情報として、タイトル分割時間とタイトル分割数との両方を用いたが、いずれか一方であってもよい。たとえば、タイトル分割時間のみの場合、回数とは無関係に、設定された時間ごとにタイトルの分割処理を行なうことができる。また、タイトル分割数のみの場合、ダビング元のタイトルの総時間をタイトル分割数で除すことにより、均等にタイトルの分割を行なうことができる。
【００６０】
また、タイトル分割情報をより詳細な設定できるようにしてもよい。たとえば、１回目は３０分後、２回目はその６０分後、などと回数ごとにタイトル分割時間を入力できるようにしてもよい。
【００６１】
上記ＤＶＤ１６ｂの代わりに、プログラムを記録しているたとえば光学媒体等を駆動装置で読み出して、記憶部１１のプログラムをアップデートすることもできる。
【００６２】
また、本発明の複合型データ記録装置が行なう、タイトル分割方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００６３】
提供されるプログラム製品は、メモリなどのプログラム格納部にインストールされて実行される。なお、プログラム製品は、プログラム自体と、プログラムが記録された記録媒体とを含む。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の実施の形態１に係る複合型データ記録装置の構成を示す図である。
【図２】本発明の実施の形態１におけるダビング処理の流れを示すフローチャートである。
【図３】ダビング設定画面の表示例を示す図である。
【図４】手動分割処理の流れを示すフローチャートである。
【図５】自動分割処理の流れを示すフローチャートである。
【図６】（ａ）は、ＨＤからビデオテープにダビングが行なわれた場合のタイトル分割処理について説明するための図であり、（ｂ）は、ビデオテープからＨＤにダビングが行なわれた場合のタイトル分割処理について説明するための図である。
【符号の説明】
【００６６】
１  アンテナ、２  チューナ、３  デジタル変換部、４  エンコーダ、５ａ  ＨＤＤ、５ｂ  ＨＤ、６  書込／読出制御部、７  デコーダ、８  アナログ変換部、９  出力部、１０  ＣＰＵ、１１，１２  記憶部、１３  入力部、１４  リモコン、１５  ＯＳＤ回路、１６ａ  ＤＶＤドライブ、１６ｂ  ＤＶＤ、１７  タイマ、１８  抽出部、２０ａ  ビデオテープ装置、２０ｂ  ビデオテープ、１４０  リモコン、１４１  ダビングキー、１４２  インデックスサーチキー、１４３  カーソルキー、１４４  メニューキー。
【図１】
2006302408.tif 000003
【図２】
2006302408.tif 000004
【図３】
2006302408.tif 000005
【図４】
2006302408.tif 000006
【図５】
2006302408.tif 000007
【図６】
2006302408.tif 000008